(57)【要約】【課題】トレーニング施設を利用する利用者の身体特性及び運動能力を向上させた上で、利用者が特定のスポーツを行う際の問題を解消するのに役立つトレーニングメニューを提案できるトレーニングメニュー提案システムを提供する。【解決手段】第１のトレーニングメニュー決定部１７が決定した利用者の運動能力を向上させるために役立つ１以上のトレーニングメニューと、第２のトレーニングメニュー決定部１９が決定した利用者がゴルフをする際に直面している運動上の問題を解決することに役立つトレーニングメニューとに基づいて、利用者に適した１以上のトレーニングメニューを提案トレーニングメニュー決定部２１が提案する。【選択図】  図１
2011189014.tif 000002
【特許請求の範囲】
【請求項１】
トレーニング施設を利用する利用者に、特定の１以上のスポーツをする場合に適したトレーニングメニューを提案するトレーニングメニュー提案システムであって、
各種のデータを記憶するデータベースと、
前記データベースに記憶されている前記各種のデータを用いて、特定の１以上のスポーツをする場合に適したトレーニングメニューを提案するトレーニングメニュー提案部とを備え、
前記トレーニングメニュー提案部は、
前記データベースに記憶された身体特性データ及び運動能力データと運動能力を向上させるために役立つトレーニングメニュー・データとに基づいて、前記運動能力を向上させるために役立つ１以上のトレーニングメニューを決定する第１のトレーニングメニュー決定機能と、
前記データベースに記憶された、前記特定の１以上のスポーツをするプレイヤが直面する可能性のある前記１以上のスポーツをする上での運動上の問題についての問題データと該問題を解決することに役立つトレーニングメニュー・データとに基づいて、前記問題を解決するために役立つ１以上のトレーニングメニューを決定する第２のトレーニングメニュー決定機能と、
前記利用者の前記身体特性データ及び運動能力データと前記利用者が有する１以上の前記問題とを入力として、前記第１のトレーニングメニュー決定機能に前記１以上のトレーニングメニューを決定させ、前記第２のトレーニングメニュー決定機能に前記１以上のトレーニングメニューを決定させ、第１及び第２のトレーニングメニュー決定機能が決定した複数の前記トレーニングメニューに基づいて、前記利用者に適した１以上のトレーニングメニューを提案するトレーニングメニュー提案機能とを備えていることを特徴とするトレーニングメニュー提案システム。
【請求項２】
前記トレーニングメニュー提案機能は、前記第１のトレーニングメニュー決定機能で決定した前記１以上のトレーニングメニューと前記第２のトレーニングメニュー決定機能で決定した前記１以上のトレーニングメニューのうち重複するトレーニングメニューを前記利用者に適した１以上のトレーニングメニューとして提案する請求項１に記載のトレーニングメニュー提案システム。
【請求項３】
前記第２のトレーニングメニュー決定機能は、前記スポーツが複数ある場合及び／または前記問題が複数ある場合、複数の前記スポーツごと及び／または前記複数の問題ごとに前記利用者に適した１以上のトレーニングメニューを決定し、
前記トレーニングメニュー提案機能は、前記第２のトレーニングメニュー決定機能が決定した複数のトレーニングメニューのすべて又は重複するトレーニングメニューを、前記第２のトレーニングメニュー決定機能が決定したトレーニングメニューとして扱う請求項１に記載のトレーニングメニュー提案システム。
【請求項４】
前記トレーニングメニュー提案機能は、前記第１のトレーニングメニュー決定機能で決定した前記１以上のトレーニングメニューを、前記第２のトレーニングメニュー決定機能で決定した前記１以上のトレーニングメニューよりも優先度の高いメニューとして、前記利用者に適した１以上のトレーニングメニューを提案する請求項１または３に記載のトレーニングメニュー提案システム。
【請求項５】
前記トレーニングメニュー提案機能は、前記利用者の選択により、前記第１のトレーニングメニュー決定機能で決定した前記１以上のトレーニングメニュー及び前記第２のトレーニングメニュー決定機能で決定した前記１以上のトレーニングメニューの一方に対して他方よりも高い優先度を与えて前記利用者に適した１以上のトレーニングメニューを提案する請求項１または３に記載のトレーニングメニュー提案システム。
【請求項６】
前記第１のトレーニングメニュー決定機能及び前記第２のトレーニングメニュー決定機能は、それぞれ提案する前記１以上のトレーニングメニューに優先順位または優先度を付けており、前記トレーニングメニュー提案機能は前記利用者が前記優先順位または優先度を認識できるように前記利用者に適した１以上のトレーニングメニューを提案する請求項１または３に記載のトレーニングメニュー提案システム。
【請求項７】
前記データベースは、前記トレーニング施設を利用する利用者の運動履歴をさらに保存しており、
前記トレーニングメニュー提案部は、前記運動履歴を考慮して、前記利用者に適した１以上のトレーニングメニューのトレーニング量を併せて提案する請求項１または３のいずれか１項に記載のトレーニングメニュー提案システム。
【請求項８】
前記データベースは、前記トレーニング施設を利用する利用者の運動履歴をさらに保存しており、
前記トレーニングメニュー提案部は、前記運動履歴を考慮して、提案する前記利用者に適した１以上のトレーニングメニューの数を決定する請求項１または３に記載のトレーニングメニュー提案システム。
【請求項９】
前記トレーニングメニュー提案部は、前記利用者の前記身体特性データ及び運動能力データが同じデータの状態で、前記利用者から再提案が求められたときには、前記運動履歴を考慮して、前記利用者に適した１以上のトレーニングメニューを再提案する請求項７または８に記載のトレーニングメニュー提案システム。
【請求項１０】
トレーニング施設を利用する利用者に、特定の１以上のスポーツをする場合に適したトレーニングメニューを提案するトレーニングメニュー提案システムをコンピュータを用いて実現する場合に用いるプログラムであって、
データベースに記憶された身体特性データ及び運動能力データと運動能力を向上させるために役立つトレーニングメニュー・データとに基づいて、前記運動能力を向上させるために役立つ１以上のトレーニングメニューを決定する第１のトレーニングメニュー決定機能と、
前記データベースに記憶された、前記特定の１以上のスポーツをするプレイヤが直面する可能性のある前記１以上のスポーツをする上での運動上の問題についての問題データと該問題を解決することに役立つトレーニングメニュー・データとに基づいて、前記問題を解決するために役立つ１以上のトレーニングメニューを決定する第２のトレーニングメニュー決定機能と、
前記利用者の前記身体特性データ及び運動能力データと前記利用者が有する１以上の前記問題とを入力として、前記第１のトレーニングメニュー決定機能に前記１以上のトレーニングメニューを決定させ、前記第２のトレーニングメニュー決定機能に前記１以上のトレーニングメニューを決定させ、第１及び第２のトレーニングメニュー決定機能が決定した複数の前記トレーニングメニューに基づいて、前記利用者に適した１以上のトレーニングメニューを提案するトレーニングメニュー提案機能とを実施するように構成されていることを特徴とするトレーニングメニュー提案システム用プログラム。
【発明の詳細な説明】
【技術分野】
【０００１】
本発明は、トレーニング施設を利用する利用者に、特定の１以上のスポーツをする場合に適したトレーニングメニューを提案するトレーニングメニュー提案システム及びコンピュータプログラムに関するものである。
【背景技術】
【０００２】
特開平７−１７８０６４号公報（特許文献１）には、コンピュータを利用したトレーニングメニューの作成方法に関する発明が開示されている。この発明では、利用者の安静時の血圧値、最大酸素摂取量の値及びトレーニング実績を考慮して、トレーニング目的に応じたトレーニングメニューを提案する。同様に特開２００８−３１３２８０号公報（特許文献２）に記載の運動メニュー作成方法では、利用者に予め定めた運動科目を実施してもらい、その際に利用者の能力値を測定し、その測定データを参照してトレーニングメニューを作成する。さらに特開２００３−２４４９１号公報（特許文献３）には、フィットネスクラブなどのトレーニング施設において、その利用者が行うトレーニングメニューを、利用者のその日の予定トレーニング時間、利用者のトレーニング志向（例えば、トレーニングを健康増進のために行うのか筋力アップのために行うのかなど）、トレーニングの好み（例えば、マシンによるレジスタンストレーニングをやりたいのかエアロビクスをやりたいのかなど）、トレーニングを行うことができる頻度、利用者の過去のトレーニングの履歴、運動生理学によって示されるトレーニング方法、年齢や性別や体重やＢＭＩや既往症の有無、などの要素をもとにして、トレーニング種目（例えば、ダンベル・バーベル・トレーニングマシンなどのレジスタンストレーニングや、自転車エルゴメータ・トレッドミル・クライミングなどの有酸素トレーニングや、エアロビクスや、水泳など）や、トレーニング負荷（重量、回数、セット数、時間など）などのトレーニングメニューを提案する運動トレーニングメニュー作成・管理システムが開示されている。
【０００３】
これに対して、例えば、ゴルフに関するトレーニングについては、利用者のフィジカルチェックを行った上でスイングチェックを行い、ゴルフの上達のために必要なトレーニングメニューを提案するコンサルティングが行われている（www.tg-fitness.net/introduction/index.htm）。なおゴルフのような特定のスポーツに関するトレーニングメニューを提案するシステムは出願人の知る限りにおいて公知のものはない。
【先行技術文献】
【特許文献】
【０００４】
【特許文献１】特開平７−１７８０６４号公報
【特許文献２】特開２００８−３１３２８０号公報
【特許文献３】特開２００３−２４４９１号公報
【非特許文献】
【０００５】
【非特許文献１】www.tg-fitness.net/introduction/index.htm
【発明の概要】
【発明が解決しようとする課題】
【０００６】
従来公知のトレーニングメニュー作成技術では、あくまでも利用者の身体特性データ及び運動能力データを基にして、利用者の運動能力を向上させるために役立つトレーニングメニューを提案するだけであり、そのトレーニングメニューがゴルフ等の特定のスポーツを行う場合における利用者の運動上の問題を解消することには直接的につながっていなかった。
【０００７】
また前述のゴルフのコンサルティングでは、身体チェックの結果とスイングチェックの結果をインストラクタが確認し、利用者のゴルフの問題点を解消するために、インストラクタの裁量によって、どのようなトレーニングメニューを作成することが有効かが決められていた。そのため、インストラクタが違うと別のトレーニングメニューが作成される可能性があり、ばらつきのない安定的な指導が行えていなかった。またインストラクタによっては、利用者の身体的特性及び運動能力を越えた、無理なトレーニングメニューを作成することもあった。
【０００８】
本発明の目的は、トレーニング施設を利用する利用者の身体特性及び運動能力を向上させた上で、利用者が特定のスポーツを行う際の問題を解消するのに役立つトレーニングメニューを提案できるトレーニングメニュー提案システム及びコンピュータプログラムを提供することにある。
【課題を解決するための手段】
【０００９】
本発明は、トレーニング施設を利用する利用者に、特定の１以上のスポーツをする場合に適したトレーニングメニューを提案するトレーニングメニュー提案システムである。本発明のシステムでは、各種のデータを記憶するデータベースと、データベースに記憶されている各種のデータを用いて、特定の１以上のスポーツをする場合に適したトレーニングメニューを提案するトレーニングメニュー提案部とを備えている。なお利用者の条件を入力する入力部（入力端末）は、トレーニング施設にあってもよく、また利用者が使用するパソコンでもよく、さらに利用者が使用する携帯端末でもよいので、特に限定されるものではない。またトレーニングメニュー提案部の提案形式は、紙へのプリントアウトでもよく、施設内の利用端末の画面への表示、利用者のパソコン及び携帯端末への表示でもよく、特に特定の形式に限定されるものではない。またデータベース及びトレーニングメニュー提案部は、トレーニング施設内に必ず設置されている必要はなく、通信端末と通信回線を利用して利用可能なものでもよいのは勿論である。
【００１０】
トレーニングメニュー提案部は、第１のトレーニングメニュー決定機能と、第２のトレーニングメニュー決定機能とトレーニングメニュー提案機能とを備えている。第１のトレーニングメニュー決定機能は、データベースに記憶された身体特性データ及び運動能力データと運動能力を向上させるために役立つトレーニングメニュー・データとに基づいて、運動能力を向上させるために役立つ１以上のトレーニングメニューを決定する機能である。第２のトレーニングメニュー決定機能は、データベースに記憶された、特定の１以上のスポーツをするプレイヤが直面する可能性のある１以上のスポーツをする上での運動上の問題についての問題データと該問題を解決することに役立つトレーニングメニュー・データとに基づいて、問題を解決するために役立つ１以上のトレーニングメニューを決定する機能である。そしてトレーニングメニュー提案機能は、利用者の身体特性データ及び運動能力データと利用者が有する１以上の問題とを入力として、第１のトレーニングメニュー決定機能に１以上のトレーニングメニューを決定させ、第２のトレーニングメニュー決定機能に１以上のトレーニングメニューを決定させ、第１及び第２のトレーニングメニュー決定機能が決定した複数のトレーニングメニューに基づいて、利用者に適した１以上のトレーニングメニューを提案する機能である。
【００１１】
本発明によれば、第１のトレーニングメニュー決定機能が決定した利用者の運動能力を向上させるために役立つ１以上のトレーニングメニューと、第２のトレーニングメニュー決定機能が決定した利用者が特定の１以上のスポーツをする際に直面している運動上の問題を解決することに役立つトレーニングメニューとに基づいて、利用者に適した１以上のトレーニングメニューをトレーニングメニュー提案部が提案するので、利用者の身体特性及び運動能力を向上させてしかも利用者が行うスポーツの運動上の問題を解決するのに役立つトレーニングメニューを、インストラクタの個人的判断による提案と異なって、バラツキ無く、しかも利用者に無理のないものとして提案することができる。したがって利用者は、トレーニング施設を利用して、自分自身の身体特性及び運動能力を高めるのと同時に、自分が好きなスポーツにおける自分自身の問題を解決するために必要な運動能力の向上を目指すことができる。なお、別のトレーニング施設（他の支店）からもデータベースにアクセスできるようにすれば、本発明ではバラツキの無いトレーニングメニューが提案されるため、他の支店でも同様のサービスを提供でき、利用者は気軽に他の支店を利用することができる。
【００１２】
トレーニングメニュー提案部が、第１及び第２のトレーニングメニュー決定機能が決定した複数のトレーニングメニューに基づいて、利用者に適した１以上のトレーニングメニューを提案する際の提案基準としては、利用者自身の運動能力を高めるのと同時に、利用者が抱えている特定のスポーツをする上での問題を解決するために必要な運動能力の向上を図ることができるものであれば、どのようなものでもよい。例えば、トレーニングメニュー提案機能は、第１のトレーニングメニュー決定機能で決定した１以上のトレーニングメニューと第２のトレーニングメニュー決定機能で決定した１以上のトレーニングメニューのうち重複するトレーニングメニューを利用者に適した１以上のトレーニングメニューとして提案するようにしてもよい。重複するトレーニングメニューは、利用者自身の運動能力向上と利用者が抱えている特定のスポーツをする上での問題を解決するために必要な運動能力の向上の両方に寄与するものであるため、効果的なトレーニングメニューである。
【００１３】
またスポーツのインストラクタは、自分が専門とするスポーツについては知識があるものの、専門外のスポーツには知識が乏しい。したがって複数のスポーツにおける複数の問題を解決するためのトレーニングメニューについて適切なアドバイスをすることは極めて難しい。そこで本発明では、第２のトレーニングメニュー決定機能は、利用者が行うスポーツが複数ある場合及び／または問題が複数ある場合、複数のスポーツごと及び／または複数の問題ごとに利用者に適した１以上のトレーニングメニューを決定する。この場合、トレーニングメニュー提案機能は、第２のトレーニングメニュー決定機能が決定した複数のトレーニングメニューのすべて又は重複するトレーニングメニューを、第２のトレーニングメニュー決定機能が決定したトレーニングメニューとして扱うようにする。このようにすると複数のスポーツにおける運動上の問題を解決するのに適したトレーニングメニューを簡単に且つ適切に決定することができる。
【００１４】
またトレーニングメニュー提案機能は、第１のトレーニングメニュー決定機能で決定した運動能力を向上させるために役立つトレーニングメニューを、第２のトレーニングメニュー決定機能で決定した特定の１以上のスポーツをするプレイヤが直面する可能性のある１以上のスポーツをする上での運動上の問題を解決することに役立つトレーニングメニューよりも優先度の高いメニューとして、利用者に適した１以上のトレーニングメニューを提案するのが好ましい。このようにすれば利用者の運動能力を超えたトレーニングメニューを提案して、利用者にハードなトレーニングを強いることがなくなる。なお、このような優先度を持たせることにより、例えば、ゴルフのスイングがダフることを改善するために、腹筋を鍛えるトレーニングメニューが選ばれる場合があり、このトレーニングメニューによりゴルフのスイングが改善するようになる。このように、本発明では、あるスポーツのインストラクタが通常考え付かないトレーニングメニューを提案することでゴルフなど特定のスポーツにおける運動上の問題を解決することができる。
【００１５】
なおトレーニングメニュー提案機能は、利用者の選択により、第１のトレーニングメニュー決定機能で決定した１以上のトレーニングメニュー及び第２のトレーニングメニュー決定機能で決定した１以上のトレーニングメニューの一方に対して他方よりも高い優先度を与えて利用者に適した１以上のトレーニングメニューを提案するようにしてもよい。このようにすると、前述の場合とは逆に、第１のトレーニングメニュー決定機能で決定した運動能力を向上させるために役立つトレーニングメニューに対して、第２のトレーニングメニュー決定機能で決定した特定の１以上のスポーツをするプレイヤが直面する可能性のある１以上のスポーツをする上での運動上の問題を解決することに役立つトレーニングメニューに高い優先度を与えることも可能になる。その結果、利用者の選択範囲を広げることができる。
【００１６】
また、第２のトレーニングメニュー決定機能が決定した複数のトレーニングメニューのうち、あるスポーツにおける運動上の問題を悪化させるようなトレーニングメニューが含まれている場合は、そのトレーニングメニューを除外するように提案させるようにトレーニングメニュー提案部を構成することが好ましい。
【００１７】
トレーニングメニュー提案部が、最終的に複数のトレーニングメニューを提案した場合、利用者はどのトレーニングメニューから実行すればよいのかが判らない。また時間の都合上、提案されたすべてのトレーニングメニューを実行できない場合があり、提案された複数のトレーニングメニューから選択をしたい場合もある。そこでこのような問題に対処するために、第１のトレーニングメニュー決定機能及び第２のトレーニングメニュー決定機能は、それぞれ提案する１以上のトレーニングメニューに優先順位または優先度を付ける機能をさらに備えているのが好ましい。そしてトレーニングメニュー提案機能は、利用者が優先順位または優先度を認識できるように、１以上のトレーニングメニューを提案すればよい。このようにすれば利用者は、優先順位または優先度を参考にして、実行する順番や、実行すべきトレーニングメニューを簡単に決定することができる。
【００１８】
データベースは、トレーニング施設を利用する利用者の運動履歴をさらに保存していてもよい。この場合、トレーニングメニュー提案部は、運動履歴を考慮して、利用者に適した１以上のトレーニングメニューのトレーニング量を併せて提案するのが好ましい。利用者に適したトレーニングメニューを提案する場合、併せてトレーニング量も一緒に提案するのが好ましい。利用者の過去の運動履歴を参考にすれば、その利用者に継続が可能な無理のないトレーニング量を提案することができて、トレーニングの継続性を確保することができる。
【００１９】
運動嫌いの利用者にあまり多くのトレーニングメニューを提案することは、利用者の意欲を削ぐことになる。また逆に、運動好きの利用者に少ない数のトレーニングメニューを提案すると、物足りなさを利用者に感じさせることになる。そこでトレーニングメニュー提案部は、運動履歴を考慮して、利用者に適した１以上のトレーニングメニューの数を決定するのが好ましい。このようにすると、利用者の運動意欲を減じることなく、トレーニングを長く継続させることが可能になる。
【００２０】
トレーニングの実績によって、運動履歴のデータは変わることになる。すなわち運動履歴を参考にする場合の基準が変わることになる。そこでトレーニングメニュー提案部は、利用者の身体特性データ及び運動能力データが同じデータの状態で、利用者から再提案が求められたときには、運動履歴を考慮して、利用者に適した１以上のトレーニングメニューを再提案するのが好ましい。このようにすればトレーニングの結果を反映して、新たなトレーニングメニューを利用者に提案することが可能になる。なお利用者の身体特性データ及び運動能力データが変わった場合には、トレーニングメニュー提案部は、利用者に適した１以上のトレーニングメニューを再提案するのが好ましい。
【００２１】
本発明は、トレーニング施設を利用する利用者に、特定の１以上のスポーツをする場合に適したトレーニングメニューを提案するトレーニングメニュー提案システムを、コンピュータを用いて実現する場合に用いるプログラムとして特定できる。このプログラムは、データベースに記憶された身体特性データ及び運動能力データと運動能力を向上させるために役立つトレーニングメニュー・データとに基づいて、運動能力を向上させるために役立つ１以上のトレーニングメニューを決定する第１のトレーニングメニュー決定機能と、データベースに記憶された、特定の１以上のスポーツをするプレイヤが直面する可能性のある１以上のスポーツをする上での運動上の問題についての問題データと該問題を解決することに役立つトレーニングメニュー・データとに基づいて、問題を解決するために役立つ１以上のトレーニングメニューを決定する第２のトレーニングメニュー決定機能と、利用者の身体特性データ及び運動能力データと利用者が有する１以上の問題とを入力として、第１のトレーニングメニュー決定機能に１以上のトレーニングメニューを決定させ、第２のトレーニングメニュー決定機能に１以上のトレーニングメニューを決定させ、第１及び第２のトレーニングメニュー決定機能が決定した複数のトレーニングメニューに基づいて、利用者に適した１以上のトレーニングメニューを提案するトレーニングメニュー提案機能とを実施するように構成されている。なおこのプログラムは、コンピュータ読み取り可能な記録媒体に記憶されていてもよいのは勿論である。
【図面の簡単な説明】
【００２２】
【図１】本発明のトレーニングメニュー提案システムを備えたトレーニング施設のネットワークシステムを示すブロック図である。
【図２】本発明のトレーニングメニュー提案システムの主要部の構成を示す図である。
【図３】図２の実施の形態のトレーニングメニュー提案システムを支店サーバと通信端末内に実現する場合に用いるトレーニングメニュー提案システム用のプログラムの一例のアルゴリズムを示すフローチャートである。
【図４】本実施の形態の身体特性データ及び運動能力データ入力画面の一例を示す図である。
【図５】インストラクタの診断結果を示す画面表示の一例を示す図である。
【図６】提案するトレーニングメニューの表示の一例を示す図である。
【図７】図２の実施の形態のトレーニングメニュー提案システムを支店サーバと通信端末内に実現する場合に用いるトレーニングメニュー提案システム用のプログラムの他の例のアルゴリズムを示すフローチャートである。
【図８】運動履歴を考慮して、トレーニングメニューの数を変える場合のフローを示す図である。
【発明を実施するための形態】
【００２３】
以下図面を参照して、本発明のトレーニングメニュー提案システムの実施の形態を詳細に説明する。図１は、本発明のトレーニングメニュー提案システムを備えたトレーニング施設のネットワークシステムを示している。図１において、符号１で示したエリアは、利用者がトレーニングを行うトレーニング施設である。トレーニング施設１には、支店サーバ３と、１以上のインストラクタ用端末５、１以上の入力端末７、１以上の閲覧端末９、通信機能を有するトレーニング用の１以上のマシン１１が設置されている。支店サーバ３には、後に詳しく説明する図２に示すトレーニングメニュー提案部１５が構築されている。各トレーニング施設に設置された支店サーバ３は、インターネット等の通信回線を介してセンターサーバ２にそれぞれ接続されている。センターサーバ２には、図２に示したデータベース１３が配置されている。このデータベース１３には、各支店の状況及び利用者の利用状況等を管理するために必要なデータが保存されている。そして支店サーバ３からの要求に応じて必要なデータは、通信回線を介して支店サーバに送信される。なお実際の処理速度を速めるために、各支店サーバ３にデータベース１３をそれぞれ配置してもよいのは勿論である。
【００２４】
インストラクタ用端末５は、トレーニング施設１において利用者に運動の指導をするインストラクタが専用で使用する通信端末であり、入力端末７はトレーニング施設における職員や利用者が共用する通信端末であり、閲覧端末９は利用者が閲覧目的で使用する通信端末である。これらの通信端末（５，７，９）は、一般的なパーソナルコンピュータで構成されていても専用端末で構成されていてもよく、トレーニング施設１内に設置されたイントラネットを介して支店サーバ３に接続されている。各通信端末（５，７，９）は表示画面を備えており、表示画面を見ながらデータの入力及び後述する提案されたメニューの確認ができる。マシン１１は、トレーニング施設１内に設置されて利用者の運動履歴を自動的に計測する機能と計測した運動履歴を支店サーバ３に送信する通信機能を有するトレーニング用の専用マシンである。支店サーバ３は、予め定めた周期で、トレーニング施設内で収集したデータ及び入力されたデータをセンターサーバ２に送信する。
【００２５】
図２に示すように、センターサーバ２内に配置されたデータベース１３内には、一般的な身体特性データ、運動能力データ並びに身体特性データ及び運動能力データと関連づけられた運動能力を向上させるために役立つトレーニングメニュー・データ（第１のトレーニングメニュー・データ）が一つのグループ・データとして保存されている。このグループ・データは、身体特性データ（体重、身長、体脂肪率、下肢長、上肢長等の身体に係わる特性）及び運動能力データ（走力、跳躍力、投力、調整力、全身持久力、背筋力、握力等の筋力、柔軟性等の運動をする際に必要な能力）に基づいて、運動能力を向上させるために役立つトレーニングメニュー・データを決定するのに利用できるように相互に関連付けられデータである。
【００２６】
なお身体特性データは、一般的な身体特性でも、特定の身体特性でも、任意に定義して保存することができる。運動能力データも、一般的なものから、特定のものまで、任意に定義して保存することができる。例えば、「体重」、「身長」、「体脂肪率」、「下肢長」、「上肢長等の身体に係わる特性」などを一般的な身体特性として定義し、股関節の柔軟性を示す「股関節内旋」、肩関節の柔軟性を示す「肩関節水平内転」、「肩関節内旋」及び「肩関節外旋回」、腰及び胴部の柔軟性を示す「体幹ひねり」を特定の身体特性として定義し、「走力」、「跳躍力」、「投力」、「調整力」、「全身持久力」、「背筋力」、「握力等の筋力」、「柔軟性」などを一般的な運動能力として定義し、また全身持久力を示す「スクワット動作」を特定の運動能力として定義して保存することができる。
【００２７】
トレーニングメニューとしては、身体の各部のストレッチや、ウエイトトレーニング、柔軟運動トレーニング、スクワット・トレーニング、ツイスト・トレーニング等の各種のトレーニングが含まれる。そして各トレーニングメニューには、トレーニング時間、回数、セット数等も含まれる。
【００２８】
またデータベース１３内には、特定の１以上のスポーツをするプレイヤが直面する可能性のある１以上のスポーツをする上での運動上の問題についての問題データと該問題を解決することに役立つトレーニングメニュー・データ（第２のトレーニングメニュー・データ）とが一つのグループ・データとして保存されている。ここで「運動上の問題」とは、ゴルフを例にとるとゴルフ特有の問題であり、このゴルフ特有の問題には、「グリップが弱い問題」、「スタンスが定まらない問題」、「バランスが崩れる問題」「バックスイングがオープンフェースになる問題」「トップスイングがレイドオフになる問題」等が含まれる。スポーツの種類によって、この問題は異なってくる。そして問題解決のためのトレーニングメニューもスポーツの種類と解決すべき問題によって異なってくる。
【００２９】
さらにデータベース１３には、利用者（会員）の運動履歴を含む電子カルテや、その他トレーニング施設の運営に必要なデータが保存されている。電子カルテに記録される運動履歴には、トレーニング施設で行った運動の種類、時間、回数等が記録される。本実施の形態のようにマシン１１が計測機能を有するものであれば、マシン１１からの通知で運動履歴は自動的に電子カルテに記録される。自動計測できない運動については、利用者が紙ベースで記録しておき、利用者が入力端末７を介して適宜に入力するか、インストラクタがインストラクタ用端末５から入力する。電子カルテには、利用者の身体特性データ及び運動能力データ並びに特定のスポーツをする場合における運動上の問題、利用者に提案されたトレーニングメニューも記録されている。
【００３０】
本実施の形態のトレーニングメニュー提案システムは、トレーニング施設を利用する利用者に、特定の１以上のスポーツをする場合に適したトレーニングメニューを提案するために、トレーニングメニュー提案部１５を備えている。トレーニングメニュー提案部１５は、支店サーバ３内にプログラムを用いた論理回路により構築されている。なおトレーニングメニュー提案部１５は、センターサーバ２内や通信端末（５，７，９）内に構築されていてもよい。
【００３１】
トレーニングメニュー提案部１５は、第１のトレーニングメニュー決定機能を有する第１のトレーニングメニュー決定部１７と、第２のトレーニングメニュー決定機能を有する第２のトレーニングメニュー決定部１９とトレーニングメニュー提案機能を有する提案トレーニングメニュー決定部２１とを備え、データベース１３に記憶されている各種のデータを用いて、利用者が特定の１以上のスポーツをする場合に適したトレーニングメニューを提案する。本実施の形態では、利用者の身体特性データ及び運動能力データは、カウンセリング時に、インストラクタ用端末５からインストラクタがデータベースの電子カルテに登録する。本実施の形態では、いずれの通信端末（５，７，９）の表示画面に、トレーニングメニュー提案部１５が提案するトレーニングメニューが表示され、併せて、図示しないプリンタを用いてプリントアウトされる。
【００３２】
第１のトレーニングメニュー決定部１７は、データベース１３に記憶された身体特性データ及び運動能力データと運動能力を向上させるために役立つ第１のトレーニングメニュー・データとに基づいて、利用者の運動能力を向上させるために役立つ１以上のトレーニングメニューを決定する。また第２のトレーニングメニュー決定部１９は、データベース１３に記憶された、特定の１以上のスポーツをするプレイヤが直面する可能性のある１以上のスポーツをする上での運動上の問題についての問題データと該問題を解決することに役立つトレーニングメニュー・データとに基づいて、利用者が有する問題を解決するために役立つ１以上のトレーニングメニューを決定する。提案トレーニングメニュー決定部２１は、電子カルテに登録される利用者の身体特性データ及び運動能力データと利用者が有する１以上の問題とを入力として、第１のトレーニングメニュー決定部１７に１以上のトレーニングメニューを決定させ、第２のトレーニングメニュー決定部１９に１以上のトレーニングメニューを決定させ、第１及び第２のトレーニングメニュー決定部１７及び１９が決定した複数のトレーニングメニューに基づいて、利用者に適した１以上のトレーニングメニューを提案する。
【００３３】
本実施の形態のシステムでは、第１のトレーニングメニュー決定部１７が決定した利用者の運動能力を向上させるために役立つ１以上のトレーニングメニューと、第２のトレーニングメニュー決定部１９が決定した利用者がゴルフをする際に直面している運動上の問題を解決することに役立つトレーニングメニューとに基づいて、利用者に適した１以上のトレーニングメニューを提案トレーニングメニュー決定部２１が提案する。本実施の形態のシステムを用いれば、利用者の身体特性及び運動能力を向上させてしかも利用者がゴルフを行う際の運動上の問題を解決するのに役立つトレーニングメニューを、バラツキ無く、しかも利用者に無理のないものとして提案する。したがって利用者は、トレーニング施設を利用して、自分自身の身体特性及び運動能力を高めるのと同時に、ゴルフにおける自分自身の問題を解決するために必要な運動能力の向上を目指すことができる。
【００３４】
第１及び第２のトレーニングメニュー決定部１７及び１９が決定した複数のトレーニングメニューに基づいて、提案トレーニングメニュー決定部２１が、利用者に適した１以上のトレーニングメニューを提案する際の提案基準としては、利用者自身の運動能力を高めるのと同時に、利用者が抱えている特定のスポーツ（本実施の形態ではゴルフ）をする上での問題を解決するために必要な運動能力の向上を図ることができるものであれば、どのようなものでもよい。
【００３５】
図３は、図２の実施の形態のトレーニングメニュー提案システムを支店サーバ３と通信端末（５，７，９）内に実現する場合に用いるトレーニングメニュー提案システム用のプログラムの一例のアルゴリズムを示すフローチャートである。このアルゴリズムでは、インストラクタ用端末５を利用して提案をする。ステップＳＴ１で、利用者の会員ＩＤを入力すると、インストラクタ用端末５の画面に利用者の電子カルテが表示される。次にステップＳＴ２において、電子カルテの中に利用者の身体特性データ及び運動能力データ（フィジカルチェック）をインストラクタが入力する。図４は、本実施の形態の身体特性データ及び運動能力データ入力画面の一例を示している。この例では、性別、身長、体重、体脂肪率が身体特性データであり、立位評価、股間接内旋、体幹ひねり、スクワット動作、肩関節水平内転、肩関節内旋、肩関節外旋回が運動能力データである。データは数値により入力されている。特に、運動能力については、数字と一緒に★マークを並記している。これらのデータは、事前に予め定めた方法により測定しておくものとする。
【００３６】
次にこの例では、ステップＳＴ３で利用者のゴルフスイングの画像が入力される。この画像は、データベース１３のその他のデータとして記録される。ステップＳＴ４では、インストラクタが画像を見て利用者のゴルフスイングを診断し、診断結果を電子カルテに入力し、ステップＳＴ５で利用者の運動上の問題を文字で指摘する。図５は、インストラクタの診断結果を示す画面表示の一例を示している。図５において、符号ＩＧで示した部分がスイング画像（動画）が表示される部分である。図５の例では、今回の診断結果と、過去の診断結果が表示できるようになっている。今回の診断結果の右側にあるチェック欄Ｃは、ステップＳＴ６で１以上の問題を選択する際に、使用される。１以上の問題を選択する場合には、チェック欄Ｃにチェックマークを入れる。問題の選択は、インストラクタの助言に基づいて利用者の意思で行われる。
【００３７】
ステップＳＴ７では、ステップＳＴ２で入力された身体特性データ及び運動能力データに基づいて、利用者の運動能力を向上させるために役立つ１以上の第１のトレーニングメニューを決定する。この決定は、図１の第の１のトレーニングメニュー決定部１７が行う。次にステップＳＴ８ではステップＳＴ６で選択された問題を解決するために役立つ１以上の第２のトレーニングメニューを決定する。この決定は、図１の第の２のトレーニングメニュー決定部１９が行う。
【００３８】
そしてステップＳＴ９では、第１のトレーニングメニュー決定部１７で決定した１以上のトレーニングメニューと第２のトレーニングメニュー決定部１９で決定した１以上のトレーニングメニューのうち重複するトレーニングメニューを利用者に適した１以上のトレーニングメニューとして決定する。そしてステップＳＴ１０でトレーニングメニューを提案する。図６は、提案するトレーニングメニューの表示の一例を示している。図６の提案表示例では、運動能力のうち「スワット動作」と「肩関節水平内転」を向上させるためのトレーニングメニューとして「ストレッチ」の具体的トレーニングメニューが９メニュー提案され、その他のトレーニングメニューが５メニュー提案されている。重複するトレーニングメニューは、利用者自身の運動能力向上と利用者が抱えているゴルフ（特定のスポーツ）をする上での問題を解決するために必要な運動能力の向上の両方に寄与するものであるため、効果的なトレーニングメニューである。
【００３９】
なお変形例として、利用者が行うスポーツが複数ある場合及び／または問題が複数ある場合には、第２のトレーニングメニュー決定部１９に、複数のスポーツごと及び／または複数の問題ごとに利用者に適した１以上のトレーニングメニューを決定させる機能を持たせればよい。そしてトレーニングメニュー提案部１５は、第２のトレーニングメニュー決定部１９が決定した複数のトレーニングメニューのすべて又は重複するトレーニングメニューを、第２のトレーニングメニュー決定部が決定したトレーニングメニューとして扱うようにする。このようにすると複数のスポーツにおける運動上の問題を解決するのに適したトレーニングメニューを簡単に且つ適切に決定することができる。なお、複数のスポーツに精通したインストラクタは稀にしかおらず、希望の複数のスポーツに精通したインストラクタを探し出すことは極めて困難であるところ、本発明では容易に複数のスポーツに適したトレーニングメニューを提案することができる。
【００４０】
加えて、利用者が行うスポーツが複数ある場合は、利用者がどのスポーツを優先にするかを選択させるようになっていてもよい。このとき、第２のトレーニングメニュー決定部１９が決定したトレーニングメニューのうち、選択されたスポーツに対応するトレーニングメニューを優先して提案するようにトレーニングメニュー提案部１５を構成してもよい。
【００４１】
本実施の形態のトレーニングメニュー提案部１５は、第１のトレーニングメニュー決定部１７で決定した運動能力を向上させるために役立つトレーニングメニューを、第２のトレーニングメニュー決定部１９で決定したゴルフ（特定の１以上のスポーツ）をするプレイヤが直面する可能性のあるゴルフをする上での運動上の問題を解決することに役立つトレーニングメニューよりも優先度の高いメニューとして、利用者に適した１以上のトレーニングメニューを提案する。すなわちストレッチ及びトレーニング初級の具体的なトレーニングメニューは、第１のトレーニングメニュー決定部１７で決定した運動能力を向上させるために役立つトレーニングメニューを、第２のトレーニングメニュー決定部１９で決定したゴルフをするプレイヤが直面する可能性のあるゴルフをする上での運動上の問題を解決することに役立つトレーニングメニューよりも優先して表示するようにしている。このようにすれば利用者の運動能力を超えたトレーニングメニューを提案して、利用者にハードなトレーニングを強いることがなくなる。
【００４２】
トレーニングメニュー提案部１５が、最終的に複数のトレーニングメニューを単にメニュー名の表示だけで提案した場合、利用者はどのトレーニングメニューから実行すればよいのかが判らない。またその場合、時間の都合上、提案されたすべてのトレーニングメニューを実行できない場合があり、提案された複数のトレーニングメニューから選択をしたい場合もある。そこでこのような問題に対処するために、本実施の形態では、第１のトレーニングメニュー決定部１７及び第２のトレーニングメニュー決定部１９は、それぞれ提案する１以上のトレーニングメニューに優先順位または優先度を付けている。そして提案トレーニングメニュー決定部２１は、利用者が優先順位または優先度を認識できるように、１以上のトレーニングメニューを提案する。具体的には、図６に示すように、優先度を数値で表示し、優先度の高いものから低いものがメニュー表示欄の上から下に並ぶようにメニュー表示をしている。このようにすれば利用者は、優先順位または優先度を参考にして、実行する順番や、実行すべきトレーニングメニューを簡単に決定することができる。なお図６の表示例では、ストレッチのスワット動作向上のためのストレッチのトレーニングメニューにおいて、体幹前屈の欄の数字は優先度が７０％であり、四股ストレッチの欄の数字は優先度が４０％であることを意味している。
【００４３】
図７は、図２の実施の形態のトレーニングメニュー提案システムを支店サーバ３と通信端末（５，７，９）内に実現する場合に用いるトレーニングメニュー提案システム用のプログラムの他の例のアルゴリズムを示すフローチャートである。図７のアルゴリズムでは、図３のアルゴリズム異なって、ステップＳＴ１２において利用者の運動履歴データが入力される。運動履歴データは、ステップＳＴ１７及びステップＳＴ１８並びにステップＳＴ１９において、トレーニングメニューを決定する際に参酌される。具体的には、トレーニングメニュー提案部１５は、運動履歴を考慮して、利用者に適した１以上のトレーニングメニューのトレーニング量を提案する。この点は、図６の表示で一律になっている時間及び回数×セット数を、運動履歴によって変えることを意味する。利用者の過去の運動履歴を参考にすれば、その利用者に継続が可能な無理のないトレーニング量を提案することができて、トレーニングの継続性を確保することができる。
【００４４】
運動嫌いの利用者にあまり多くのトレーニングメニューを提案することは、利用者の意欲を削ぐことになる。また逆に、運動好きの利用者に少ない数のトレーニングメニューを提案すると、物足りなさを利用者に感じさせることになる。そこでトレーニングメニュー提案部１５は、運動履歴を考慮して、利用者に適した１以上のトレーニングメニューの数を決定するのが好ましい。図８は運動履歴を考慮して、トレーニングメニューの数を変える場合のフローを示している。図８のフローでは、運動履歴から利用者の運動状況を運動量が多い順にレベル１からレベル３に分けて判定し、運動履歴から判定した運動量のレベルがレベル１の利用者には、優先度上位６位までを選択して表示し、レベル２の利用者には、優先度上位４位までを選択して表示し、レベル３の利用者には、優先度上位２位までを選択して表示する。このようにすると、利用者の運動意欲を減じることなく、トレーニングを長く継続させることが可能になる。
【００４５】
図７のアルゴリズムでは、図３のアルゴリズムと比べてステップＳＴ２０及びＳＴ２１において、インストラクタによる提案トレーニングメニューの削除追加ステップが加えられている。すなわちこのアルゴリズムでは、最終的にインストラクタの関与を認めているので、よりフレキシブルな運用が可能になる。
【００４６】
トレーニングの実績によって、運動履歴のデータは変わることになる。すなわち運動履歴を参考にする場合の基準が変わることになる。そこでトレーニングメニュー提案部１５を、利用者の身体特性データ及び運動能力データが同じデータの状態で、利用者から再提案が求められたときには、運動履歴を考慮して、利用者に適した１以上のトレーニングメニューを再提案するように構成するのが好ましい。このようにすればトレーニングの結果を反映して、新たなトレーニングメニューを利用者に提案することが可能になる。なお利用者の身体特性データ及び運動能力データが変わった場合にも、トレーニングメニュー提案部１５は、利用者に適した１以上のトレーニングメニューを再提案するのが好ましい。
【００４７】
またトレーニングメニュー提案部１５は、上記実施の形態とは逆に、利用者の選択により、第１のトレーニングメニュー決定部１７で決定した１以上のトレーニングメニュー及び第２のトレーニングメニュー決定部１９で決定した１以上のトレーニングメニューの一方に対して他方よりも高い優先度を与えて利用者に適した１以上のトレーニングメニューを提案するようにしてもよい。このようにすると、上記実施の形態の場合とは逆に、第１のトレーニングメニュー決定部１７で決定した運動能力を向上させるために役立つトレーニングメニューに対して、第２のトレーニングメニュー決定部１９で決定した特定の１以上のスポーツをするプレイヤが直面する可能性のある１以上のスポーツをする上での運動上の問題を解決することに役立つトレーニングメニューに高い優先度を与えることも可能になる。その結果、利用者の選択範囲を広げることができる。
【００４８】
上記実施の形態では、スポーツとしてゴルフを例にあげたが、本発明は、野球のバッティング、テニス、バドミントン等のようなその他のスポーツを対象としてもよいのは勿論であり、複数のスポーツを対象としてもよい。
【産業上の利用可能性】
【００４９】
本発明によれば、利用者の身体特性及び運動能力を向上させてしかも利用者が行うスポーツの運動上の問題を解決するのに役立つトレーニングメニューを、インストラクタの個人的判断による提案と異なって、バラツキ無く、しかも利用者に無理のないものとして提案することができる利点が得られる。
【符号の説明】
【００５０】
１  トレーニング施設
２  センターサーバ
３  支店サーバ
５  インストラクタ用端末
７  入力端末
９  閲覧端末
１１  マシン
１３  データベース
１５  トレーニングメニュー提案部
１７  第１のトレーニングメニュー決定部
１９  第２のトレーニングメニュー決定部
２１  提案トレーニングメニュー決定部
【図１】
2011189014.tif 000003
【図２】
2011189014.tif 000004
【図３】
2011189014.tif 000005
【図４】
2011189014.tif 000006
【図５】
2011189014.tif 000007
【図６】
2011189014.tif 000008
【図７】
2011189014.tif 000009
【図８】
2011189014.tif 000010